【手続補正書】
【提出日】平成23年5月31日(2011.5.31)
【手続補正１】
【補正対象書類名】明細書
【補正対象項目名】００２２
【補正方法】変更
【補正の内容】
【００２２】
作動エレメント（８２）の下方端に取り付けられた状態で、シリンダ−ピストンユニット（１００）の下方部を無菌状態で取り囲む密封キャップ（１２０）がある。本明細書において、密封キャップ（１２０）は、ハウジング（１０）の下方領域上に実装される。密封キャップ（１２０）及びスリーブ状の作動エレメント（８２）は、少なくともあるエリアにおいて、接着ラベル（９１）を用いて閉じ込められる（図４も参照のこと）。接着ラベル（９１）は、主部分（９２）、切り取り式帯飾り（９４）及びキャップ部（９３）を含む。切り取り式帯飾り（９４）は、所定の破壊点（９６）例えば、穿孔又は連続材料の薄い点によってラベル部（９２、９３）に接続される。引き剥がし式巻物（９４）はこれによって、作動エレメント（８２）及び密封キャップ（１２０）の間に横たわる組立てジョイントに亘って配列され、そして直立した切取りタブ（９５）で終わる。
【手続補正２】
【補正対象書類名】明細書
【補正対象項目名】００２４
【補正方法】変更
【補正の内容】
【００２４】
注射器を起動させるために、密封キャップ（１２０）及び作動エレメント（８２）の間の接着結合が破られるように切り取り式帯飾り（９４）が除かれる。シリンダ−ピストンユニット（１００）の密封キャップ（１２０）が除かれた後、引続いて使い捨て注射器を作動させるために、使い捨て注射器が注射部位の上に置かれる。この時点で作動エレメント（８２）がシリンダ−ピストンユニット（１００）の方向に押すことが出来る。この手順中、作動エレメント（８２）はハウジング（１０）の外側面（１３）上を下方に且つ直線的に、従って注射部位の方向に滑る。  圧縮棒（２１）の接触面（２４）は、端（８５）に亘って横滑りし、そして、バネ荷重エレメント（５０）の力の下で、広くなった領域（８３）内に開放された状態で半径方向に外側に跳ねる。ピストン−作動プランジャ（６０）が、図３におけるように、妨害されない状態で下方に発射する。シリンダ（１００）は空になる。
【手続補正３】
【補正対象書類名】明細書
【補正対象項目名】００４４
【補正方法】変更
【補正の内容】
【００４４】
中心の密封キャップ（１２０）は、シリンダ−ピストンユニット（１００）のシリンダ（１０１）上の作動エレメント（８２）の下方前端（５８）の上に置かれている。その少なくともほぼシリンダ状の外面は、前端（５８）の近傍において、作動エレメント（８２）の同様にシリンダ状の外面と同じ直径を有する。
【手続補正４】
【補正対象書類名】明細書
【補正対象項目名】００６５
【補正方法】変更
【補正の内容】
【００６５】
１  注射溶液；薬物
５  注射器の中心線、長手方向
６  （８２）の動きの作動方向、下方向の動きの方向矢印
８  ロックされる位置
９  作動位置、トリガ位置
１０  ハウジング、一体物
１３  外側面、シリンダ状
１６  隆起、レンズ状
１８  ガイドワッシャー
２１  圧縮棒、支持棒
２２  カム
２３  支持面
２４  接触面
２５  後ろグリップフランク
２８  屈曲ビーム
３１  シェル領域
３３  開口部
３８  孔
３９  床
４１  シリンダ−ピストンユニットのための固定領域
４２  バネフック
４３  後方グリップ
５０  バネ荷重エレメント、ねじ式の圧縮バネ、バネエネルギ貯蔵部
５２  （２１）上のバネ荷重エレメント
５４  バネフック、短い
５５  戻り止めカム
５６  （８２）の環状溝
５７  （８２）の溝
５８  （８２）の前端
５９  （８２）の内壁
６０  ピストン−作動プランジャ
６２  パイロットピン
７３  プランジャ・ディスク
７４  襟面、平面状
７５  襟面、円錐状
７６  ピストン・スライド
７７  ピストン・スライド前端、円錐状
７９  ワッシャー
８０  作動ユニット
８１  作動キャップ
８２  作動エレメント
８３  広くなった領域
８４  帰りフランク
８５  縁、鋭い縁
８６  キャップ床
８７  ラッチ・タブ
８８  タブ付きノッチ
９０  オリジナルファスナー、帯飾り、保持エレメント
９１  接着ラベル
９２  （９１）の主部分
９３  （９１）のキャップ部
９４  切り取り式帯飾り
９５  切取りタブ
９６  ミシン目、所定の破壊点
１００  シリンダ−ピストンユニット
１０１  シリンダ
１０２  ラッチ・リブ
１０３  前端
１０４  接着リング
１０６  孔、ノズル
１０７  前端における窪み
１０８  シリンダ状床
１１１  ピストン
１１２  環状溝
１１４  密封リング、シール
１１９  密封フィルム
１２０  密封キャップ、接着剤シール
１２１  前端、上部
１２２  接触リンク
１２３  グリップチューブ
１２４  構造体、しわ
１２５  ポットエリア
１２６  窓、両側
１２７  中空ストッパー
１２８  足
１３０  押しボタン安全装置、保持エレメント
１３１  爪
１３２  爪ノブ
１３３  爪ボルト
１３４  ブロック襟
１３５  ウエスト
１３６  戻り止めリンク
【手続補正５】
【補正対象書類名】特許請求の範囲
【補正対象項目名】全文
【補正方法】変更
【補正の内容】
【特許請求の範囲】
【請求項１】
ハウジング（１０）を有し、該ハウジングの中又はその上に−各々少なくとも一定のエリアで−少なくとも一つの機械的なバネエネルギ貯蔵部、少なくとも時折活性成分が充填出来る少なくとも一つのシリンダ−ピストンユニット（１００）、少なくとも一つのピストン−作動プランジャ（６０）、及び少なくとも一つの作動ユニット（８０）が配置され、そこでバネエネルギー貯蔵部（５０）が少なくとも一つの予応力バネ荷重エレメントを含み、そしてそこでピストン−作動プランジャ（６０）の少なくとも一部がバネエネルギ貯蔵部（５０）とシリンダ−ピストンユニット（１００）のピストン（１１１）の間に位置する使い捨て注射器であって、
−そこでハウジング（１０）が、各自由端の領域において少なくとも一つの支持面（２３）を有する少なくとも一つの圧縮フック（２１）を有し、
−そこでピストン−作動プランジャ（６０）がプランジャ・ディスク（７３）を有する支持面（２３）上に載り、
−そこで圧縮フック（２１）のロックする位置が、ロックされる位置（８）に位置する作動エレメント（８２）によって固定され、
−そこで作動エレメント（８２）が、ロックされる位置（８）を有し、そこで作動エレメントが密封キャップ（１２０）上で確実に載り、
−そこで密封キャップ（１２０）が、シリンダ−ピストンユニット（１００）のシリンダー（１０１）の下方領域を囲み、そして
−そこで作動エレメント（８２）が、トリガ位置（９）を有し、ピストン−作動プランジャ（６０）が開放された場合圧縮フック（２１）の横方向への後退を生じさせる、
ことを特徴とする使い捨て注射器。
【請求項２】
ピストン−作動プランジャ（６０）が、バネ荷重エレメント（５０）から背けたその前端上に、少なくとも一定のエリアで平らな楔状の面、又は一定のエリアで単一切頭円錐状面（７４、７５）を有することを特徴とする請求項１記載の使い捨て注射器。
【請求項３】
ピストン−作動プランジャ（６０）が、単一支持棒（２１）毎に一緒になって、軸弾性力方向が半径支持力方向に偏向されるスプラインギアを形成することを特徴とする請求項１記載の使い捨て注射器。
【請求項４】
単一支持棒（２１）がハウジング（１０）上に各々成形され、そして弾性屈曲ビーム（２８）を表わすことを特徴とする請求項１記載の使い捨て注射器。
【請求項５】
単一支持棒（２１）が、その自由端で、平らで先を切り取った円錐状又は球状の支持面（２３）を有することを特徴とする請求項１記載の使い捨て注射器。
【請求項６】
密封キャップ（１２０）が、作動エレメント（８２）の下方前面に重なっていることを特徴とする請求項１記載の使い捨て注射器。
【請求項７】
密封キャップ（１２０）が、シリンダ−ピストンユニット（１００）のシリンダ（１０１）上に集中していることを特徴とする請求項６記載の使い捨て注射器。
【請求項８】
下方領域において、密封キャップ（１２０）が、中心線が注射器の中心線（５）と交差するか、又は０．０１から５ミリメーターの距離で少なくとも横切る二つの向かい合った窓（１２６）を有することを特徴とする請求項６記載の使い捨て注射器。
【請求項９】
窓（１２６）が、中心線（５）に対して横切るように向いた幅を有し、これはシリンダ−ピストンユニット（１００）のピストン（１１１）の少なくとも直径に対応する、こと
を特徴とする請求項８記載の使い捨て注射器。
【請求項１０】
作動エレメント（８２）が、密封キャップ（１２０）及びその上に固着されたオリジナルファスナー（９０）との組合せで固定作動ユニット（８０）を形成することを特徴とする請求項１記載の使い捨て注射器。
【請求項１１】
オリジナルファスナー（９０）が、ミシン目（９６）を経て接着ラベル（９１）の残りの領域の反対側に結合される接着ラベル（９１）の内側領域中に配置されるストリップ材である切り取り式帯飾り（９４）を含む接着ラベル（９１）であることを特徴とする請求項６記載の使い捨て注射器。
【請求項１２】
切り取り式帯飾り（９４）が、作動エレメント（８２）及び密封キャップ（１２０）の間に置かれた組立てジョイントを覆うか又は密封キャプ（１２０）に隣接することを特徴とする請求項１１記載の使い捨て注射器。